(57)【要約】【課題】部品点数および組み立て工数を削減できるとともに製造コストを効率良く低減できる小型で軽量な魚釣用リールを提供する。【解決手段】本発明の魚釣用リールでは、転がり式一方向クラッチの外輪２５に形成した回り止め係止部２５ａを、回転駆動軸８を回転自在に支持する軸受９の抜け止めを行なう抜け止め部材３７（抜け止め部３７ｂ）に形成した係合部３７ａに係合可能とし、この抜け止め部材３７を介して、一方向クラッチの外輪２５をリール本体１に回り止め（抜け止め部材３７の係合部３７ａはネジ３０によってリール本体１に固定される）した。【選択図】図３
2010252755.tif 000002
【特許請求の範囲】
【請求項１】
ハンドルで回転操作される回転駆動軸とリール本体との間に、一方向の回転を許容し他方向の回転を阻止する転がり式一方向クラッチを設けて、前記回転駆動軸の逆転を防止するようにした魚釣用リールにおいて、
転がり式一方向クラッチの外輪に形成した回り止め係止部を、前記回転駆動軸を回転自在に支持する軸受の抜け止めを行なう抜け止め部材に形成した係合部に係合可能とし、この抜け止め部材を介して、前記一方向クラッチの外輪をリール本体に回り止めしたことを特徴とする魚釣用リール。
【請求項２】
前記転がり式一方向クラッチの外輪は、前記回転駆動軸の挿通によってほぼ閉塞される閉塞端部と反対側の開放端部とを有する略筒状体を形成し、
前記回り止め係止部は、前記一方向クラッチの外輪の開放端部に形成されて、前記抜け止め部材の係合部に係合されることを特徴とする請求項１に記載の魚釣用リール。
【発明の詳細な説明】
【技術分野】
【０００１】
本発明は、転がり式一方向クラッチを組み込んで回転駆動軸の逆転防止を図るようにした魚釣用リールに関する。
【背景技術】
【０００２】
通常、魚釣用リールは、ハンドルを回転操作することで、動力伝達機構を介して釣糸をスプールに巻回するように構成されている。例えば、魚釣用リールとしてのスピニングリールでは、ハンドルの回転操作により駆動軸を介して釣糸案内部を有するロータを回転させ、スプールに釣糸を巻回する。また、このような魚釣用リールには、実釣時にスプールに巻回されている釣糸の繰り出しでロータが逆転しないように、逆転防止装置が装備されている。
【０００３】
このような逆転防止装置としては、魚釣り操作時の逆転遊度を少なくしてフッキング操作の確実性の向上を図るために、転がり式一方向クラッチを採用したものが一般的に知られている。
【０００４】
例えば、特許文献１には、一方向クラッチを回り止め嵌合支持するリール本体の嵌合支持部の強度的負担を軽減するために、一方向クラッチの外輪の開口縁部に回り止め係止用切欠部を形成し、この回り止め係止用切欠部に係合する回り止め部材をリール本体に固定して、回り止め部材を介して一方向クラッチの外輪をリール本体に回り止め固定したものが開示されている。
【先行技術文献】
【特許文献】
【０００５】
【特許文献１】特許第３８６００５１号公報
【発明の概要】
【発明が解決しようとする課題】
【０００６】
特許文献１に開示された構造によれば、リール本体の嵌合支持部の強度的負担は軽減できるが、一方向クラッチの外輪を回り止めする別部材および固定部材が必要となるため、その分、部品点数および組み立て工数が増えて製造コストがアップする。また、部品点数増加の分、重量が増加する。
【０００７】
本発明は、前記事情に着目してなされたものであり、その目的とするところは、部品点数および組み立て工数を削減できるとともに製造コストを効率良く低減できる小型で軽量な魚釣用リールを提供することにある。
【課題を解決するための手段】
【０００８】
前記課題を解決するために、本発明は、ハンドルで回転操作される回転駆動軸とリール本体との間に、一方向の回転を許容し他方向の回転を阻止する転がり式一方向クラッチを設けて、前記回転駆動軸の逆転を防止するようにした魚釣用リールにおいて、転がり式一方向クラッチの外輪に形成した回り止め係止部を、前記回転駆動軸を回転自在に支持する軸受の抜け止めを行なう抜け止め部材に形成した係合部に係合可能とし、この抜け止め部材を介して、前記一方向クラッチの外輪をリール本体に回り止めしたことを特徴とする。
【０００９】
上記構成によれば、回転駆動軸を回転自在に支持する軸受の抜け止め部材を兼用して、一方向クラッチの外輪をリール本体に回り止めする構成としたため、部品点数および組み立て工数を削減でき、製造コストを効率良く低減できる。
【００１０】
また、上記構成では、前記転がり式一方向クラッチの外輪が、前記回転駆動軸の挿通によってほぼ閉塞される閉塞端部と反対側の開放端部とを有する略筒状体として形成され、前記回り止め係止部が、前記一方向クラッチの外輪の開放端部に形成されて、前記抜け止め部材の係合部に係合されても良い。
【００１１】
このような構成によれば、合理的配置形態として一般に、回り止め係止部を有する外輪の開放端部が、回転駆動軸を回転自在に支持する前記軸受と対向する側に位置されることとなるため、外輪の開放端部が前記軸受から離れて面する（外輪の閉塞端部が軸受と対向する）配置形態の場合と比べて、リールの軸方向寸法を短くすることが可能になる。すなわち、一般に、魚釣用リールでは、前記軸受側から一方向クラッチ側へと延び且つ一方向クラッチを逆転可能位置と逆転防止位置との間で切り換えるための切換操作機構が設けられ、この切換操作機構の切換要素を外輪の内部の一方向クラッチの構成要素と接続するために、切換要素がリールの軸方向に延在するが、外輪の開放端部が前記軸受と対向する側に位置されていれば、外輪の開放端部が前記軸受から離れて面する配置形態の場合と比べて、切換操作機構の前記切換要素の軸方向延在長さ（切換要素のリール前方側への突出量）を短くすることができ、したがって、リールの軸方向寸法を短くできる（リールの小型化を量ることができる）とともに、その分、軽量化も可能になる。また、このように外輪の開放端部に回り止め係止部が形成されていれば、抜け止め部材を開放端部を通じて筒状の外輪内に嵌め込むことも可能になり、したがって、その嵌め込み量分だけ更にリールの軸方向寸法を短くすることができ、リールの小型化（軸方向寸法の短縮化）を更に促進させることができる。
【発明の効果】
【００１２】
本発明によれば、部品点数および組み立て工数を削減できるとともに製造コストを効率良く低減できる小型で軽量な魚釣用リールを提供できる。
【図面の簡単な説明】
【００１３】
【図１】本発明の第１の実施形態に係る魚釣用リールの一部断面を伴う側面図である。
【図２】図１の魚釣用リールの要部拡大断面図である。
【図３】図２のＡ−Ａ線に沿う断面図である。
【図４】図２のＢ−Ｂ線に沿う断面図である。
【図５】図３のＣ−Ｃ線に沿う断面図である。
【図６】転がり式一方向クラッチの外輪の回り止め係止部と抜け止め部材の係合部との係合領域の部分拡大断面図である。
【図７】図６のＤ−Ｄ線に沿う断面図である。
【図８】本発明の第２の実施形態に係る魚釣用リールの要部拡大断面図である。
【図９】図８のＥ−Ｅ線に沿う断面図である。
【図１０】図８のＦ−Ｆ線に沿う断面図である。
【発明を実施するための形態】
【００１４】
以下、本発明に係る魚釣用リールの実施形態について、添付図面を参照して具体的に説明する。
【００１５】
図１〜図７は本発明の第１の実施形態に係る魚釣用リールとしてのスピニングリールを示している。図１に示されるように、本実施形態に係るスピニングリールのリール本体１には、釣竿に装着されるリール脚２が一体形成されており、その前方には、回転可能に支持されたロータ３と、ロータ３の回転運動と同期して前後動可能に支持されたスプール４とが配設されている。
【００１６】
ロータ３は、スプール４の周囲を回転する一対（図１には一方だけが図示されている）の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部（図示せず）に取り付けられている。
【００１７】
リール本体１内には、ハンドル軸５が回転可能に支持されており、その突出端部には、ハンドル６が取り付けられている。また、ハンドル軸５には、巻き取り駆動機構が係合しており、この巻き取り駆動機構は、ハンドル軸５に一体回転可能に装着された駆動ギヤ７と、この駆動ギヤ７に噛合すると共にハンドル軸５と直交する方向に延出し且つ内部に軸方向に延在する空洞部が形成された回転駆動軸としてのピニオン８とを備えている。
【００１８】
ピニオン８は、軸受９を介してリール本体１内に回転可能に支持されるとともに、スプール４側に向けて延出しており、その先端部において、ロータ３が取り付けられている。なお、軸受９は、後述する転がり式一方向クラッチ１０との間に介挿される抜け止め部材３７によって軸方向の抜け止めがなされる。
【００１９】
また、ピニオン８には、その中間部分（軸受９よりもリールの前方側（スプール４側））に転がり式一方向クラッチ１０が取り付けられており、リール本体１の外部に設けられた切換操作レバー１１を回動操作することで一方向クラッチ１０を作動させ、ハンドル６（ロータ３）の釣糸繰出し方向の逆回転を防止する公知の逆転防止機構（ストッパ）を構成するようになっている。
【００２０】
ピニオン８の内部に形成された空洞部には、ハンドル軸５と直交する方向に延出し、先端側にスプール４を装着したスプール軸１２が軸方向に移動可能に挿通されている。また、ピニオン８には、スプール４（スプール軸１２）を前後往復動させるための公知のスプール往復動装置１３が係合している。
【００２１】
このような構成を有する魚釣用スピニングリールにおいて、ハンドル６により巻き取り操作を行うと、ロータ３が巻き取り駆動機構を介して回転駆動される共に、スプール４がスプール往復動装置１３を介して前後往復動されるので、釣糸は、前記釣糸案内部を介してスプール４の巻回胴部４ａに均等に巻回されるようになる。
【００２２】
図２に示されるように、前記転がり式一方向クラッチ１０は、ピニオン８に対して回り止め嵌合された内輪２１と、内輪２１の外側に配された保持器２７と、保持器２７の外側に配された外輪２５とを有しており、保護カバー５０によってその外周が保護されている。
【００２３】
外輪２５の内周面には、保持器２７によって保持された複数の転動部材２８がフリーに回転できるフリー回転領域と、複数の転動部材の回転を阻止する楔領域とが形成されており、各転動部材２８は、保持器２７に設けられたバネ部材によって楔領域に付勢されている。
【００２４】
また、外輪２５は、それに対するピニオン８の挿通によってほぼ閉塞される閉塞端部２５ｃと反対側の開放端部２５ｂとを有する略筒状体を形成しており、軸受９と転がり式一方向クラッチ１０との間に介挿された前記抜け止め部材３７によってリール本体１に対する回転が阻止されている。具体的には、図３に明確に示されるように、環状リングの形態を成す抜け止め部材３７の周方向の一部には径方向外側に突出する一対の係合部３７ａが互いに周方向に１８０度の角度間隔を隔てて設けられており、これらの係合部３７ａが対応する位置に設けられた外輪２５の切り欠き状の回り止め係止部２５ａに係止されている。そして、係合部３７ａに取着されるネジ３０をリール本体１に螺合する（図３，５，６，７参照）ことにより、外輪２５が係合部３７ａを介してリール本体１に対して回り止めされている。なお、本実施形態において、回り止め係止部２５ａは、外輪２５の開放端部２５ｂに形成されて抜け止め部材３７の係合部３７ａに係合されている。すなわち、本実施形態において、外輪２５は、その開放端部２５ｂを軸受９に対向させた状態で配置されている。そのため、本実施形態では、リールの軸方向寸法を短くするべく、抜け止め部材３７が開放端部２５ｂを通じて筒状の外輪２５内に嵌め込まれている（図２参照）。
【００２５】
このように、本実施形態では、転がり式一方向クラッチ１０の外輪２５に形成した回り止め係止部２５ａを、ピニオン８を回転自在に支持する軸受９の抜け止めを行なう抜け止め部材３７に形成した係合部３７ａに係合可能とし、この抜け止め部材３７を介して、一方向クラッチ１０の外輪２５をリール本体１に回り止めするようにしている。なお、環状の抜け止め部材３７は、その内周側の抜け止め部３７ｂが軸受９の外輪９ａと当接することにより（図３，５，６参照）、軸受９の軸方向の抜け止めを行なう。
【００２６】
このような構成の一方向クラッチ１０において、ピニオン８と共に内輪２１が正回転（ロータ３が釣糸巻取り方向に回転）すると、保持器２７の転動部材２８が外輪２５のフリー回転領域に位置され、そのため、内輪２１の回転力が外輪２５に伝達されず（外輪２５によって阻止されず）、したがって、ピニオン８と共にロータ３が支障なく回転する。これに対して、ピニオン８と共に内輪２１が逆回転（ロータ８が釣糸繰出し方向に回転）しようとすると、保持器２７の転動部材２８が外輪２５の楔領域に位置するため、内輪２１の回転力が外輪２５に伝達され、これがストッパとなって、ピニオン８およびロータ３の回転（逆回転）が阻止される。
【００２７】
また、このような一方向クラッチ１０を伴う逆転防止機構の作動は前記切換操作レバー１１によって切り換え制御できるようになっている。具体的には、図２および図３に示されるように、切換操作レバー１１は、リール本体１内でスプール軸１２と略平行に延びる切り換えカム３３を有しており、この切り換えカム３３の先端突部３３ａは保持器２７の径方向に延びる延出部２７ａの係合孔５２に係合して連結されている。したがって、この構成では、切換操作レバー１１を回動操作することにより、切り換えカム３３を介して保持器２７を回動させれば、保持器２７に保持される転動部材２８をバネ部材の付勢力に抗して外輪２５のフリー回転領域に強制的に保持させる逆転可能位置（ロータ３を逆回転させることができる位置）と、転動部材をバネ部材の付勢力によって外輪２５の楔領域に位置させるようにする逆転防止位置（ロータ３の逆回転を防止する位置）との間で選択的に切り換えることができる。
【００２８】
以上説明したように、本実施形態の魚釣用リールは、回転駆動軸としてのピニオン８を回転自在に支持する軸受９の抜け止め部材３７を兼用して、一方向クラッチ１０の外輪２５をリール本体１に回り止めする構成としたため、部品点数および組み立て工数を削減でき、製造コストを効率良く低減できる。
【００２９】
また、本実施形態では、回り止め係止部２５ａが一方向クラッチ１０の外輪２５の開放端部２５ｂに形成されて抜け止め部材３７の係合部３７ａに係合されているため、すなわち、回り止め係止部２５ａを有する外輪２５の開放端部２５ｂがピニオン８を回転自在に支持する軸受９と対向する側に位置されているため、外輪２５の開放端部２５ｂが軸受９から離れて面する（外輪９の閉塞端部２５ｃが軸受９と対向する）配置形態の場合と比べて、切換操作レバー１１を含む切換操作機構の切換要素３３，３３ａの軸方向延在長さを短くすることができ、したがって、リールの軸方向寸法を短くできる（リールの小型化を量ることができる）とともに、その分、軽量化も可能になる。更に、前記部品点数の削減効果と、前記切換要素３３，３３ａの軸方向延在長さの短縮効果と、保持器２７の位置が後方（軸受９の方向）になることから、リール全体の重心の位置をリール脚２の竿への取り付け側付け根の直下に近づけることができ、操作性が向上する。
【００３０】
図８〜図１０は本発明の第２の実施形態に係る魚釣用リールとしてのスピニングリールを示している。図８に示されるように、本実施形態に係るスピニングリールでは、一方向クラッチ１０の外輪２５の向きが第１の実施形態と逆になっている。すなわち、本実施形態の外輪２５は、その閉塞端部２５ｃが軸受９と対向するように配置されている。したがって、このような構成では、第１の実施形態と同様に抜け止め部材３７に軸受９の抜け止め及び外輪２５の回り止めとしての機能を兼ねさせるためには、外輪２５の回り止め係止部２５ａおよび抜け止め部材３７の係合部３７ａの構造を第１の実施形態と異ならせる必要がある。
【００３１】
この目的のため、本実施形態において、抜け止め部材３７は、外輪２５へ向けて軸方向に突出する係合部３７ａ’をその外周部に有し（図９参照）、一方、外輪２５は、係合部３７ａ’が係止できる切り欠き状の回り止め係止部２５ａ’を閉塞端部２５ｃの外周面に有している（図８，１０参照）。なお、それ以外の構成は第１の実施形態と同一である。
【００３２】
このように、外輪２５の閉塞端部２５ｃが軸受９と対向するように配置されている場合でも、抜け止め部材３７に軸受９の抜け止め及び外輪２５の回り止めとしての機能を兼ねさせることができ、第１の実施形態と同様の作用効果を得ることができる。
【００３３】
なお、本発明は、前述した実施形態に限定されず、外輪に形成する回り止め係止部や抜け止め部材に形成する係合部の位置や形状など、その要旨を逸脱しない範囲で種々変形して実施できることは言うまでもない。例えば、前述した実施形態では、ピニオンの中間部分に転がり式一方向クラッチを配設した構成で説明したが、転がり式一方向クラッチをハンドル軸上に設けて構成しても良く、その位置は特定されない。また、前述した実施形態では、本発明がスピニングリールに適用されているが、両軸受型リールを含む他のリールに本発明を適用できることは言うまでもなく、リールのタイプも限定されない。
【符号の説明】
【００３４】
１  リール本体
４  スプール
６  ハンドル
８  ピニオン（回転駆動軸）
９  軸受
１０  転がり式一方向クラッチ
２５  外輪
２５ａ  回り止め係止部
２５ｂ  開放端部
２５ｃ  閉塞端部
３７  抜け止め部材
３７ａ  係合部
【図１】
2010252755.tif 000003
【図２】
2010252755.tif 000004
【図３】
2010252755.tif 000005
【図４】
2010252755.tif 000006
【図５】
2010252755.tif 000007
【図６】
2010252755.tif 000008
【図７】
2010252755.tif 000009
【図８】
2010252755.tif 000010
【図９】
2010252755.tif 000011
【図１０】
2010252755.tif 000012